(57)【要約】【課題】本発明は蓄電池の電槽内に注液された電解液の液面減少量、電解液の液面減少による補水液の補給量、或いは電解液比重をそれぞれ目視確認できる液面指示装置を提供するものである。【解決手段】本発明の液面指示装置は、蓄電池の開口を封止する栓体に、ロート状中空部を形成し、該ロート状中空部の上端には透視窓を設け、下端が開口する脚部には電解液に浮く小球の複数個を列状に収容し、該ロート状中空部に蓄電池内の電解液を導入流通させ、前記栓体に設けた透視窓からロート状中空部内を視認し、前記小球の数や状態を観察することにより蓄電池内の電解液の液面変位を確認しうるように構成したものである。【選択図】　　図２
2004087138.tif 000002
【特許請求の範囲】
【請求項１】
蓄電池の開口を封止する栓体に、ロート状中空部を形成し、該ロート状中空部の上端には透視窓を設け、下端が開口する脚部には電解液に浮く小球の複数個を列状に収容し、該ロート状中空部に蓄電池内の電解液を導入流通させ、前記栓体に設けた透視窓からロート状中空部内を視認し、前記小球の状態を観察することにより蓄電池内の電解液の液面変位を確認しうるように構成したことを特徴とする蓄電池用液面指示装置。
【発明の詳細な説明】
【０００１】
【発明の属する技術分野】
本発明は、蓄電池用液面指示装置に関するもので、特に産業用鉛蓄電池に使用される蓄電池用液面指示装置に関するものである。
【０００２】
【従来の技術】
自動車用鉛蓄電池等、電槽として透明な合成樹脂を用いた蓄電池は電槽の外側から目視により電解液の状況が確認でき、所定量減少した時点で液口栓を開けて蒸留水等を補水することができる。
【０００３】
しかし、電槽が不透明な合成樹脂から成る蓄電池の場合には液口栓を外して電槽内部を覗き込みするか、或いは電極またはスポイト等の冶具を電槽内に挿入して電解液の液面チェックを実施している。
【０００４】
しかしながら、液口栓を開けて覗き込んだり、電極や冶具を挿入するチェック方法では実施に当たり不必要なセルの液口栓までも開けて点検しなければならず、無駄な時間と労力を要していた。
【０００５】
このため、メンテナンスフリーの鉛蓄電池等においては、２個或いは３個の比重の違う色違いの小球を透明栓体に封入して該栓体の上から光学的反射による色の変化を目視することにより電解液の比重と電解液面位の変化を確認する提案がなされ（実開昭５４−１４４２１７号公報等）、実用化されているが、この方法では、電解液が減少した場合に補水の必要性は判断できるが、補水量までは測定することができない欠点があった。
【０００６】
そこで、蓄電池の電槽内に封入の電解液の液量を確認する方法が例えば実公昭３０−３０４５号公報、実公昭３５−３３０７８号公報、実開昭５４−１２７２９号公報等に開示されているように、栓体の下に液面表示器を設け、該液面表示器の底面を斜めに切断して電解液の液面を観察する考案がなされているが、表示器の液面確認がし難く、またいずれも液面の減少観察は液面表示器の筒部の太さに左右され、液面の測定範囲が著しく制限されてしまっていた。
【０００７】
【発明が解決しようとする課題】
このように、従来の電解液の液面監視の提案は、液面のみ、或いは電解液比重と液面減少については目視可能であるが、電解液の液面減少による補水液の補給量を広い範囲で多段階に目視確認できるものはなかった。
【０００８】
本発明は従来の目視機能から一歩進め液面減少量、電解液比重、或いは電解液の液面減少による補水液の補給量をそれぞれ目視確認できる蓄電池用液面指示装置を提供するものである。
【０００９】
【課題を解決するための手段】
本発明の蓄電池用液面指示装置は、蓄電池の開口を封止する栓体に、ロート状中空部を形成し、該ロート状中空部の上端拡径部には透視窓を設け、下端が開口する脚部には電解液に浮く小球の複数個を列状に収容し、該ロート状中空部に蓄電池内の電解液を導入流通させ、前記栓体に設けた透視窓からロート状中空部内を視認し、前記小球の状態を観察することにより蓄電池内の電解液の液面変位を確認しうるように構成したことを特徴とするものである。
【００１０】
【発明の実施の形態】
次に本発明の実施形態を図面を参照して詳細に説明する。
図１乃至図４において、１は鉛蓄電池で、電槽１１の内部が隔壁により田の字状に区画され６個のセル室に区画形成された６セルモノブロック型の鉛蓄電池である。２は液口栓兼用の液面指示装置で、各セル室に対応して電槽１１の上面（蓋）に開口された注液口に螺着され、該注液口を封止している。図２乃至図４に示される通り、該液面指示装置２は鉛蓄電池１の電槽１１の上面に開口した注液口を封止する栓体２１と、該栓体２１内に設けられたロート状中空部２２とからなっている。栓体２１はその上から覗いたときにロート状中空部２２内が見える上面に透視窓が備えられており、該透視窓は栓体２１全体を透明性のプラスチック（例えばアクリル樹脂等）で構成するか、不透明な材料で栓体を作成し、その上面を開口窓を設けてガラス等の透明板をはめ込んで構成する。
【００１１】
ロート状中空部２２は栓体２１の内に形成され、上に拡径状となる傾斜部２３と該傾斜部２３の谷部から延びる脚部２４とからなり、該ロート状中空部２２の内部には複数個の小球２５が入っている。また、図示するロート状中空部２２の脚部２４の下端は開口すると共に、下端部は小径に絞られており、該小径部２６を設けることにより前記小球２５が脚部２４から外部に落ちないようにすると共に、該小径部２６から電槽１１内に注液した電解液１２がロート状中空部２２内に入り込むように構成されている。なお、ロート状中空部２２内に挿入した小球２５の拘束は前記した脚部２４の下端部に設けた小径部２６ではなく、脚部２４内面に突起を設ける等任意の方法で拘束できることは勿論である。
【００１２】
ロート状中空部２２に入れられる小球２５は、その外径が脚部２４の内径よりやや小さく、電解液１２に浮くように構成されており、図示する実施形態では６個が１列に並ぶ様に入れられている。尚、栓体２１の側面には、小径２７の排気孔形成されている。
【００１３】
図２は電槽１１内に電解液１２が充分入っている時の液面指示装置２を示すもので、（イ）は液面指示装置２を上から見た状態の平面図、（ロ）は側面から見た状態の透視図で、小球２５は６個全てがロート２２の傾斜部２３の位置の液面上に浮いており、この小球２５を液面指示装置２の上から観察すると、図２（イ）に示すように６個の小球が５角形の幾何学模様を構成しているように視認することができる。
【００１４】
図３は電槽１１内の電解液１２が減少し補水が必要な状況な時の液面指示装置２を示すもので、（イ）は液面指示装置２を上から見た状態の平面図、（ロ）は側面から見た状態の透視図で、小球２５は６個全てがロート状中空部２２の脚部２４の位置の一列に入り込んだ状況となり、この小球を液面指示装置２の上から観察すると、図３（イ）に示すように６個の小球が恰も１個に視認することができる。このような状況では直ちに蒸留水を補水する必要がある状態を確認することができる。
【００１５】
図４は電槽１１内の電解液がやや減少している時のキャップ２を示すもので、（イ）は液面指示装置２を上から見た状態の平面図、（ロ）は側面から見た状態の透視図で、小球２５は２個がロート状中空部２２の傾斜部２３の位置にあり、３個が脚部２４に入り込んだ状況にあり、この状態を液面指示装置２の上から観察すると、図４（イ）に示すように例えば３個の小球が直線状に幾何学的に並んでいるように視認することができる。このような状態に見える時には電解液が小球２５の３個分の補水を必要とすることが視認でき、そろそろ補水の時期にきていることを確認することができる。
【００１６】
このように、小球１個分の電解液が減少すると液面指示装置２の透視窓からの小球２５は１個減少し５個の小球２５で４角形の幾何学模様的に確認でき、小球２個分の電解液減少では４個となり３角形の幾何学模様的に確認でき、３個分以下の減少では前記図４（イ）に示す直線の長さが電解液の減少に伴って徐々に減少することとなり、小球の幾何学模様を観察することにより電解液の減少量を確認することができる。
【００１７】
なお、上記実施形態では、小球６個の例につき説明したが、小球の数、ロート状中空部の傾斜部の大きさ等は、蓄電池の大きさ等により任意に選択できることは勿論である。
【００１８】
図５、図６は本発明の他の実施形態を示すもので、液面指示装置２内に入れる６個の小球の内の１個の小球３５を他の小球２５より比重を重くし、かつ色を変えて入れ込んだ実施形態である。小球６個の内、５個の小球２５の比重は電解液比重が減少しても電解液に浮いている、例えば水に浮く程度の比重のものを選択し、他の１個の小球３５については電解液１２の比重が正常な時には電解液１２に浮くが、電解液１２の比重が減少すると電解液１２に沈む比重に設定する。
【００１９】
図５（イ）（ロ）は電解液１２が充分に入っており、比重も正常な状況の時の小球の状況を示したもので、（イ）に示すように６個の小球は正５角形の幾何学模様を構成しているように視認することができる。
【００２０】
図６は電解液１２の量は充分に入っているが、電解液１２の比重が減少した時の状況を示すもので、比重の重い色の違う１個の小球３５がロート２２の脚部２４に沈み込み、液面指示装置２の上から見た小球５個の状態は（イ）に示すように４角形模様に視認でき、電解液の比重の減少を確認することができる。このような状況になった時には蓄電池を充電するか、蓄電池を取り替える必要がある。尚、比重の重い小球３５のみを６個用いても良いことは勿論である。
【００２１】
尚、上記実施形態においてはいずれも液面指示装置を液口栓にも設け、液口栓と兼用したものを示したが、液口栓とは別に専用の液面指示装置を形成しこれを液口栓とは別に蓄電池に設けても良い。この場合は、注液口より補水する場合に該液面指示装置を見ながら補水作業をすることにより所定の補水量を注水することが出来便利である。
【００２２】
上述したように、本発明液面指示装置によれば、電解液の液面監視、特に電解液の液面減少による補水液の補給量を広い範囲で多段階に目視確認でき、また、比重の相違する小球を使用すれば電解液の比重の減少をキャップの透視孔を通して目視確認でき、電解液の液面減少量、電解液の液面減少による補水液の補給量、或いは電解液比重をそれぞれ目視確認できるものである。
【００２３】
【発明の効果】
以上説明したように、本発明液面指示装置によれば、電解液の液面監視、即ち、電解液の液面減少量、電解液の液面減少による補水液の補給量、或いは電解液比重を液面指示装置の透視窓を通してそれぞれ容易かつ明確に目視確認でき、点検作業に不必要な液口栓まで開ける必要がないので点検に手間を要さず、簡便に行うことができ、蓄電池の保守点検を簡単に実施できる優れた効果を有するものである。
【図面の簡単な説明】
【図１】蓄電池の一実施形態を示す説明図である。
【図２】蓄電池の電槽内電解液が充分補給された時の液面指示装置の状態を示すもので、（イ）は平面図、（ロ）は透視図である。
【図３】蓄電池の電槽内電解液が減少し、補水を必要とする時の液面指示装置の状態を示すもので、（イ）は平面図、（ロ）は透視図である。
【図４】蓄電池の電槽内電解液がかなり減少している時の液面指示装置の状態を示すもので、（イ）は平面図、（ロ）は透視図である。
【図５】蓄電池の電槽内電解液が充分補給され、比重も正常な時の他の実施形態の液面指示装置の状態を示すもので、（イ）は平面図、（ロ）は透視図である。
【図６】蓄電池の電槽内に電解液が充分補給されているが、比重が下がっている時の他の実施形態の液面指示装置の状態を示すもので、（イ）は平面図、（ロ）は透視図である。
【符号の説明】
１　　蓄電池
２　　液面指示装置
１１　　電槽
１２　　電解液
２１　　栓体
２２　　ロート状中空部
２３　　傾斜部
２４　　脚部
２５　　小球
３５　　比重の異なる小球
【図１】
2004087138.tif 000003
【図２】
2004087138.tif 000004
【図３】
2004087138.tif 000005
【図４】
2004087138.tif 000006
【図５】
2004087138.tif 000007
【図６】
2004087138.tif 000008